(57)【特許請求の範囲】
【請求項１】
被施療者が着座する座部と、
該座部に着座した被施療者の上半身を後方から支持する背凭れ部と、
該背凭れ部の上部に設けられた枕部と、
前記座部に着座した被施療者の肩部の上面に対向して左右位置に設けられた肩施療具を有する肩施療部と、
前記座部に着座した被施療者の首部又は頭部に対向して設けられた首施療具を有する首施療部とを備え、
前記肩施療具を左右位置で互いに独立して駆動制御すると共に、前記首施療具を独立して駆動制御する制御部を具備し、
前記首施療具は、前記座部に着座した被施療者の頭側部に対向する左右位置に設けられた頭側部施療具を有し、
前記制御部は、左右位置のいずれか一方の前記肩施療具を駆動制御すると共に、駆動制御する該肩施療具と左右同じ側の前記頭側部施療具を駆動制御する
ことを特徴とする椅子型マッサージ機。
【請求項２】
前記制御部は、前記左右位置のいずれか一方の肩施療具を一定時間膨張させた後、該肩施療具を膨張させたまま前記首施療具を一定時間膨張させる機能を具備している請求項１に記載の椅子型マッサージ機。
【請求項３】
前記制御部は、前記頭側部施療具を左右位置で互いに独立して駆動制御する機能を具備している請求項１に記載の椅子型マッサージ機。
【請求項４】
前記肩施療具は、給排気によって膨張及び収縮する第１エアセルを有し、前記頭側部施療具は、給排気によって膨張及び収縮する第２エアセルを有し、
前記第１エアセルは、外側部分を基端部として内側部分が被施療者の肩部の上面に向けて膨張し、
前記第２エアセルは、内側部分を基端部として外側部分が被施療者の頭側部に向けて膨張するように構成されている請求項３に記載の椅子型マッサージ機。
【請求項５】
前記第２エアセルは、内側部分に対して外側部分が上方に位置するように傾斜配置されている請求項４に記載の椅子型マッサージ機。
【請求項６】
前記首施療具は、座部に着座した被施療者の首部の後部に対向して設けられた首後面施療具を有し、
前記制御部は、該首後面施療具を独立して駆動制御する機能を具備している請求項１に記載の椅子型マッサージ機。
【請求項７】
前記首後面施療具は、給排気によって膨張及び収縮する第３エアセルを有し、該第３エアセルは上側部分を基端部として下側部分が被施療者の首部に向けて膨張するように構成されている請求項６に記載の椅子型マッサージ機。
【請求項８】
前記座部に着座した被施療者の腕部を支持する肘掛け部を左右位置に備え、
該肘掛け部は、被施療者の腕部を施療する第４エアセルを有し、
前記制御部は、該左右位置の第４エアセルをそれぞれ独立して駆動制御する機能を具備している請求項１〜７のいずれか１項に記載の椅子型マッサージ機。
【請求項９】
前記座部に着座した被施療者の脚部を左右位置から施療する第５エアセルを備え、
前記制御部は、該左右位置の第５エアセルをそれぞれ独立して駆動制御する機能を具備している請求項１〜８のいずれか１項に記載の椅子型マッサージ機。
【請求項１０】
前記背凭れ部に凭れた被施療者の背中を左右位置から施療する背施療具を備え、
前記制御部は、該左右位置の背施療具をそれぞれ独立して駆動制御する機能を具備している請求項１〜９のいずれか１項に記載の椅子型マッサージ機。
【発明の詳細な説明】
【技術分野】
【０００１】
本発明は、座部に座った被施療者を施療する椅子型マッサージ機に関し、特に、着座した被施療者の首部へ効果的なストレッチ施療が行える椅子型マッサージ機に関する。
【背景技術】
【０００２】
従来、被施療者が着座する座部と、この座部に着座した被施療者の上半身を後方から支持する背凭れ部とを備える椅子型マッサージ機が多数知られている。このような椅子型マッサージ機の中には、座部に着座した被施療者の首肩部を指圧的にマッサージする押圧マッサージ子を備えたマッサージユニットを、施療袋の膨張・収縮動作で前傾姿勢、後傾姿勢、押出姿勢に変更させることにより首肩部に対応した押圧マッサージ子を一体的に移動させ、これらの押圧マッサージ子で、被施療者の首肩部に対して揉み上げ、揉み下げなどのマッサージをするようにしたものが提案されている（例えば、特許文献１参照）。この特許文献１に記載の椅子型マッサージ機の場合、首部と肩部とに対応して設けられた押圧マッサージ子によって、被施療者の右側又は左側の肩部と首部に対して同時に押圧マッサージを行うようになっている。
【０００３】
また、首肩部の双方を指圧的にマッサージする押圧マッサージ子を備えさせた姿勢変更板を、姿勢制御袋で前傾姿勢、押出姿勢に姿勢制御して被施療者の首肩部に対してマッサージをするようにしたものも提案されている（例えば、特許文献２参照）。この特許文献２に記載の椅子型マッサージ機の場合、首部と肩部とに対応して設けられた押圧マッサージ子によって、被施療者の右側又は左側の肩部と首部に対して同時又は交互に押圧マッサージを行うようになっている。
【特許文献１】特開平１１−２３５３６９号公報
【特許文献２】特開平１１−２４４３４７号公報
【発明の開示】
【発明が解決しようとする課題】
【０００４】
しかしながら、上記特許文献１，２に記載された発明では、被施療者の肩部から首部にかけての施療としては、左右位置において同時に押圧したり交互に押圧するような押圧施療しか行われていない。
【０００５】
そこで、本発明は、被施療者の首部に対し、押圧施療のみではなく伸長させるストレッチ施療を受けることができる椅子型マッサージ機を提供することを目的とする。
【課題を解決するための手段】
【０００６】
上記目的を達成するために、本発明は、被施療者が着座する座部と、該座部に着座した被施療者の上半身を後方から支持する背凭れ部と、該背凭れ部の上部に設けられた枕部と、前記座部に着座した被施療者の肩部の上面に対向して左右位置に設けられた肩施療具を有する肩施療部と、前記座部に着座した被施療者の首部又は頭部に対向して設けられた首施療具を有する首施療部とを備え、前記肩施療具を左右位置で互いに独立して駆動制御すると共に、前記首施療具を独立して駆動制御する制御部を具備し、前記首施療具は、前記座部に着座した被施療者の頭側部に対向する左右位置に設けられた頭側部施療具を有し、前記制御部は、左右位置のいずれか一方の前記肩施療具を駆動制御すると共に、駆動制御する該肩施療具と左右同じ側の前記頭側部施療具を駆動制御することを特徴とする。この明細書及び特許請求の範囲の書類中における「首施療具」は、座部に着座した被施療者の首部から頭部にかけて施療する施療具をいう。また、この明細書及び特許請求の範囲の書類中における方向の概念は、座部に着座した被施療者から見たときの方向の概念と一致するものとする。これにより、座部に着座した被施療者の右位置又は左位置において互いに独立して駆動制御される肩施療具と首施療具とによって被施療者の肩部と首部又は頭部を独立して押圧することができ、左右位置のいずれか一方の肩施療具により被施療者の肩部を押圧した状態で駆動制御する該肩施療具と左右同じ側の頭側部施療具により頭部を傾倒させて、被施療者の肩部から首部にかけて伸長させるストレッチ施療を受けることができる。
【０００７】
また、前記制御部は、前記左右位置のいずれか一方の肩施療具を一定時間膨張させた後、該肩施療具を膨張させたまま前記首施療具を一定時間膨張させる機能を具備していてもよい。これにより、被施療者の左右の肩部のいずれか一方に対して、肩施療具で肩部を押圧して位置保持した状態で首施療具で首部又は頭部を押圧することができ、被施療者の肩部を押えた状態で頭部を傾倒させて肩部から首部にかけて伸長させるストレッチ施療を受けることができる。
【０００８】
さらに、前記制御部は、前記頭側部施療具を左右位置で互いに独立して駆動制御する機能を具備していてもよい。これにより、被施療者の頭側部を左右位置から押圧して頭部を左右に傾倒させることができるので、首左右部を伸長させるストレッチ施療を効果的に受けることができる。
【０００９】
また、前記肩施療具は、給排気によって膨張及び収縮する第１エアセルを有し、前記頭側部施療具は、給排気によって膨張及び収縮する第２エアセルを有し、前記第１エアセルは、外側部分を基端部として内側部分が被施療者の肩部の上面に向けて膨張し、前記第２エアセルは、内側部分を基端部として外側部分が被施療者の頭側部に向けて膨張するように構成されていてもよい。これにより、被施療者の肩部内側を第１エアセルで押えながら、第２エアセルで頭側部を外方向から押圧して頭部を横向きに傾倒させることができ、肩部から首部にかけて伸長させるストレッチ施療を、エアセルのクッション性を有効に利用して緩やかに受けることができる。
【００１０】
さらに、前記第２エアセルは、内側部分に対して外側部分が上方に位置するように傾斜配置されていてもよい。これにより、被施療者の首部から頭部を斜め下向きに押圧することができ、被施療者の頭部を斜めに傾倒させることがスムーズに行える。
【００１１】
その上、前記首施療具は、座部に着座した被施療者の首部の後面に対向して設けられた首後面施療具を有し、前記制御部は、該首後面施療具を独立して駆動制御する機能を具備していてもよい。これにより、被施療者の首部の後面を押圧して後頭部を持上げることにより頭部を後方（顎を上げる方向）へ倒すことができるので、首部の前部を伸長させるストレッチ施療を効果的に受けることができる。
【００１２】
さらに、前記首後面施療具は、給排気によって膨張及び収縮する第３エアセルを有し、該第３エアセルは上側部分を基端部として下側部分が被施療者の首部に向けて膨張するように構成されていてもよい。これにより、第３エアセルの膨張によって被施療者の首部後面の下部を押圧して後頭部を持上げることができるので、首部の前部を効果的に伸長させるストレッチ施療を、エアセルのクッション性を有効に利用して緩やかに受けることができる。
【００１３】
また、前記座部に着座した被施療者の腕部を支持する肘掛け部を左右位置に備え、該肘掛け部は、被施療者の腕部を施療する第４エアセルを有し、前記制御部は、該左右位置の第４エアセルをそれぞれ独立して駆動制御する機能を具備していてもよい。これにより、肩部から首部にかけて伸長させるストレッチ施療を行いつつ、一方又は両方の腕部に対しても押圧施療を受けることができる。
【００１４】
さらに、前記座部に着座した被施療者の脚部を左右位置から施療する第５エアセルを備え、前記制御部は、該左右位置の第５エアセルをそれぞれ独立して駆動制御する機能を具備していてもよい。これにより、肩部から首部にかけて伸長させるストレッチ施療を行いつつ、一方又は両方の大腿部に対しても押圧施療を受けることができる。
【００１５】
また、前記背凭れ部に凭れた被施療者の背中を左右位置から施療する背施療具を備え、前記制御部は、該左右位置の背施療具をそれぞれ独立して駆動制御する機能を具備していてもよい。これにより、肩部から首部にかけて伸長させるストレッチ施療を行いつつ、一方又は両方の背中を押圧して身体を捻るような施療を受けることができる。
【発明の効果】
【００１６】
本発明は、以上説明したような手段により、座部に着座した被施療者に対して、肩部から首部にかけて伸長させるストレッチ施療を効果的に受けることができる椅子型マッサージ機を提供することが可能となる。
【発明を実施するための最良の形態】
【００１７】
以下、本発明の一実施の形態を図面に基づいて説明する。図１は、本発明の一実施の形態に係る椅子型マッサージ機を前方から見た全体斜視図であり、図２は、図１に示す椅子型マッサージ機を後方から見た全体斜視図である。この実施の形態では、枕部が背凭れ部とは別体で構成され、この枕部に肩施療部と首施療部とが設けられた例を説明する。また、これら肩施療部と首施療部とに設けられる施療具として、エアセルを例に説明する。なお、以下の説明で用いる方向の概念は、上記したように座部２に着座した被施療者から見たときの方向の概念と一致するものとし、図１に示す椅子型マッサージ機１の矢印ｘ１を上方向、逆向きに示された矢印ｘ２を下方向、矢印ｙ１を前方向、逆向きに示された矢印ｙ２を後方向と規定し、椅子型マッサージ機１の左右方向の中心へ向かう矢印ｚ１を内方向、逆向きに示された矢印ｚ２を外方向と規定する。
【００１８】
［全体構成］
図１，２に示すように、椅子型マッサージ機１は、被施療者が着座する座部２と、被施療者の上半身を後方から支持する背凭れ部３と、被施療者の腕部を支持する肘掛け部４（アームレスト）と、被施療者の脚部を支持する脚載置部５（フットレスト）とを備えている。背凭れ部３の前面上部には、上下方向に位置調整自在に設けられた枕部７が別体で備えられている。また、肘掛け部４には、被施療者の腕全体を外側から覆うように形成された腕カバー部６が設けられている。
【００１９】
上記背凭れ部３は、被施療者の上半身を支持すべく、一般的な体格の成人が椅子型マッサージ機１に着座した際にその身体の一部がその外部にはみ出ない程度の大きさとされており、正面視で縦長の略長方形を成している。そして、この背凭れ部３の上部に、この背凭れ部３により上半身を支持された被施療者の頭部に対応して上記枕部７が配設されている。背凭れ部３は、座部２の後部において回動可能に取り付けられており、図示しないリクライニング機構によって、図１の起立状態から後方へ倒れたリクライニング状態へ傾くことができる。背凭れ部３の内部には、施療子８ａを有する機械式のマッサージ機構８が収容されている。このマッサージ機構８は、上下方向へ延びる図示しないガイドレールに沿って背凭れ部３の上下方向に往復動可能となっており、制御部６０からの指示によって被施療者の上半身に対して揉み、叩き、ローリング等のマッサージが実行可能となっている。この上下方向に往復動するマッサージ機構８の両側部には、背凭れ部３に凭れた被施療者の背中（背筋左右部）を施療する背施療具である背右エアセル２５（第６エアセル）と背左エアセル２６（第６エアセル）とが配設されている。これらの肩右，肩左エアセル２５，２６は、その内方向ｚ１の端部が給気時に膨張しない基端部２５ａ，２６ａとなっており、外方向ｚ２の端部が膨張する展開部２５ｂ，２６ｂとなっている。
【００２０】
また、上記脚載置部５は、座部２の前部において水平方向の軸中心周りに回動可能に取り付けられており、図示しない昇降機構によって、図１の降下状態から前方へ突出した上昇状態へ動くことができる。
【００２１】
さらに、上記腕カバー部６は、肘掛け部４に載せた被施療者の腕部を、手先から肘を経由して上腕に至るまでを覆うような形状に形成されている。この腕カバー部６の内部には、座部２に着座した被施療者の肩部外側に対応する位置で、肩部近傍を側方から施療する肩横エアセル３０と、被施療者の上腕を掴む保持エアセル３１と、前腕を施療する腕エアセル３２とが配設されている。以下の説明では、右側の腕カバー部６内に設けられた肩横エアセル３０、保持エアセル３１、腕エアセル３２をまとめて腕右エアセル３６（第４エアセル）といい、左側の腕カバー部６内に設けられた肩横エアセル３０、保持エアセル３１、腕エアセル３２をまとめて腕左エアセル３７（第４エアセル）という。また、座部２の両側部には、大腿部を施療する脚エアセル３３が配設されている。以下の説明では、座部２の右側に設けられた脚エアセル３３を脚右エアセル３８（第５エアセル）といい、左側に設けられた脚エアセル３３を脚左エアセル３９（第５エアセル）という。さらに、この椅子型マッサージ機１には、座部２や脚載置部５にも、施療具としてのエアセル３４，３５が設けられている。
【００２２】
これらのエアセル３０〜３５は、座部２の下方に設けられた図示しないエアポンプを有するエアユニットと接続されており、エアポンプによるエアセルの膨張動作によって被施療者に対して押圧施療を施すことができる。なお、エアセルを設けた上記構成は一例であり、個数や配置は、この実施の形態に限定されるものではない。
【００２３】
一方、上記枕部７はカバー部材１０で覆われており、前面視において全体として左右方向に長く、かつ下方に向けて広がるように形成されている。この枕部７は、背面が背凭れ部３の前面に沿う平面状に形成され、被施療者の両肩に沿う左右一対の肩施療面１１と、前方に向けて突出するように形成された前面１２と、被施療者の後頭部、首部を支える支持部１３とを有している。肩施療面１１は、内側から外側に向かって広がり、かつ被施療者の肩部に沿うように内側へ向かうに従って上方に傾斜している。支持部１３は、高いクッション性を有し、下中央部に向かって窄むように形成されている。以上のように形成された枕部７により、被施療者が頭部及び首部を支持部１３にあてがってリラックスした姿勢で施療を受けることができるようになっている。
【００２４】
また、枕部７の背面上縁には、布状の上エプロン１４が設けられ、この上エプロン１４は、枕部７の位置から背凭れ部３の挿通部１７を通って背凭れ部３の後側で垂れ下がっている。この上エプロン１４の後側端部には、左右方向に延びる錘１５が固定されている。枕部７の背面下縁には布状の下エプロン１６が設けられ、この下エプロン１６は、背凭れ部３の前面で垂れ下がっている。
【００２５】
被施療者が枕部７の位置を下げたいときには、枕部７や下エプロン１６を把持し下方へ引っ張る。この枕部７は、被施療者が背凭れ部３に凭れる際に、枕部７の背面下縁に設けられた下エプロン１６が、被施療者と背凭れ部３との間に挟まれるので、任意の位置に下げた枕部７の位置を固定してずれを防止することができる。枕部７の位置を上げたいときは、枕部７を浮かすなどし、枕部７を背凭れ部３から離すと、錘１５の重量により上方へ移動する。このような構成で、枕部７を上下方向に位置調整可能としている。
【００２６】
［肩・首施療部の構成］
図３は、図１に示す椅子型マッサージ機の枕部を示す正面図であり、図１に示す枕部７からカバー部材１０等を取り除いた状態で示している。図示するように、枕部７は、上記カバー部材１０に覆われた枕本体５０を備え、この枕本体５０の中央部５１には、座部２に着座した被施療者の頭側部の左右位置に、この頭側部から首側部にかけて対向するように首施療部の頭側部施療具として左右一対の頭（首）側部エアセル２０，２１（第２エアセル）が配設されている。また、枕本体５０の中央部５１には、座部２に着座した被施療者の首部の後部に対向して首部を施療する首施療部の首後面施療具としての首後面エアセル２２（第３エアセル）が配設されている。これら頭（首）側部エアセル２０，２１、首後面エアセル２２は、蛇腹状のエアセルが採用されている。頭（首）側部エアセル２０，２１は、共に、内側部分（即ち、内方向ｚ１の端部）に対して外側部分（即ち、外方向ｚ２の端部）が上方に位置するように傾斜配置されている。また、この頭（首）側部エアセル２０，２１は、その内方向ｚ１の端部が給気時に膨張しない基端部２０ａ，２１ａとなっており、外方向ｚ２の端部が膨張する展開部２０ｂ，２１ｂとなっている。一方、首後面エアセル２２は、上方向ｘ１の端部が給気時に膨張しない基端部２２ａとなっており、下方向ｘ２の端部が膨張する展開部２２ｂとなっている。これらの頭（首）側部エアセル２０，２１、首後面エアセル２２は、給気することによって略扇状に膨張すると共に排気したときには平坦な形状に収縮する。
【００２７】
従って、被施療者が座部２に着座しているときに頭（首）側部エアセル２０，２１に給気すると、被施療者の頭側部を内方向ｚ１へ向って若干下向きに押圧するので、左右のいずれか一方に給気すれば頭側部を斜め下向きに押圧して被施療者の頭部を左右方向へ傾倒させることができる。また、両方に給気すれば頭側部を前方下向きに押圧して被施療者の頭部を前方下向きに傾倒させることができる。また、被施療者が座部２に着座しているときに首後面エアセル２２に給気すると、首部の下部を前方上向きに押圧して被施療者の顎を上げさせ、被施療者の首部前部を伸長させることができる。
【００２８】
さらに、肩施療面１１（図１）に対応する本体底部５２には、被施療者の肩部の上面に対向する位置でその肩部を上方から施療する肩施療部の肩施療具として左右一対の肩エアセル２３，２４（第１エアセル）が配設されている。これらの肩エアセル２３，２４は、外方向ｚ２の端部が給気時に膨張しない基端部２３ａ，２４ａとなっており、内方向ｚ１の端部が膨張する展開部２３ｂ，２４ｂとなっている。この肩エアセル２３，２４も、給気することによって略扇状に膨張すると共に排気したときには平坦な形状に収縮する。従って、被施療者が座部２に着座しているときにこの肩エアセル２３，２４に給気すると、肩を上方内側（肩部のうちの首部に近い部分）から下方外側（肩部のうちの首部から遠い部分）へ向けて伸長するように押圧することができるので、被施療者の肩部を保持及び下方外側へ向って伸長させることができる。
【００２９】
［椅子型マッサージ機の機能］
図４は、図１に示す椅子型マッサージ機１の機械的な機能を説明するためのブロック図である。図４に示す制御部６０は、ＣＰＵ，ＲＯＭ，ＲＡＭ，及び計時装置等から構成されており、各種の制御プログラムを実行し、接続された施療ユニットやエアセルの施療動作を制御している。また、制御部６０は、駆動部６１を介してマッサージ機構８（図１）に施療動作をさせる施療機構６２、及びバイブレータ機構６３等が接続されており、これらも制御している。さらに、制御部６０には、被施療者が操作するリモートコントローラ６４が接続されている。
【００３０】
制御部６０は、駆動部６１を介して給排気装置６５に接続されている。駆動部６１は、制御部６０からの指示に従って駆動信号を出力し、この駆動信号によって給排気装置６５を駆動させる。給排気装置６５は、電磁弁等の切替バルブ及びエアポンプ等によって構成されている。この給排気装置６５は、肩右エアセル２３にエアホースで接続された制御弁７０、肩左エアセル２４にエアホースで接続された制御弁７１、頭（首）右エアセル２０にエアホースで接続された制御弁７２、頭（首）左エアセル２１にエアホースで接続された制御弁７３、首後エアセル２２にエアホースで接続された制御弁７４、背右エアセル２５にエアホースで接続された制御弁７５、及び背右エアセル２６にエアホースで接続された制御弁７６、その他のエアセルにエアホースで接続された制御弁（図示しない）に、それぞれエアホースで接続され、これらに対して互いに独立して給排気することができるようになっている。
【００３１】
従って、被施療者がリモートコントローラ６４を操作するか、又は制御部６０の判断により、制御部６０から駆動部６１へ指示が出力されると、給排気装置６５からの給排気によって、肩右エアセル２３、肩左エアセル２４、頭（首）右エアセル２０、頭（首）左エアセル２１、及び首後エアセル２２が互いに独立して制御され、各エアセル２０〜２４を、それぞれ独自に膨張・収縮させる。なお、制御部６０に接続されたリモートコントローラ６４によるマッサージ機１の動作指示としては、施療機構や各エアセルを動作させる制御モードが複数用意されており、各種の施療モードやマニュアルモード等を実行できるようになっている。
【００３２】
このように構成された本実施の形態のマッサージ機１によれば、以下のように、被施療者の肩部から首部にかけて伸長させる多様な施療パターンでストレッチ施療をすることができ、被施療者は高い施療効果を得ることができる。以下、施療パターンを説明する。
【００３３】
［施療パターン］
図５〜図１２は、椅子型マッサージ機１による施療パターンの一例を示す各エアセルの膨張・収縮の動作説明図であり、縦軸は各制御弁のオン／オフ状態を示し、横軸は時間を示している。図１３（ａ）〜図１８（ｂ）は、これらの各施療パターンにおける施療位置を示す椅子型マッサージ機の正面図であり、一点鎖線で囲む部分のエアセルが膨張・収縮させるエアセルを示している。これらの図の各エアセルは、カバーを除いた状態で模式的に示している。以下、代表的な施療パターンを、それぞれの図面に基いて説明する。
【００３４】
（施療パターン１）
図５，図１３（ａ）に示すように、この施療パターン１は、被施療者の首右部に対して首ストレッチを行うパターンである。制御部６０は、肩右エアセル２３に給気してこれを膨張させた後、この肩右エアセル２３を膨張させたまま、頭（首）右エアセル２０に給気してこれを膨張させている。そして、一定時間経過後、肩右エアセル２３を収縮させた後、頭（首）右エアセル２０を収縮させる。
【００３５】
この施療パターン１によれば、被施療者は右肩が押圧され、右肩が保持及び伸長された状態で頭右部が押されるので、右肩が浮かないよう保持及び伸長されたままで頭部が左側に傾倒させられ、首右部から肩右部にかけて伸長させるストレッチ施療を受けることができる。
【００３６】
（施療パターン２）
図５，図１３（ｂ）に示すように、この施療パターン２は、被施療者の首左部に対して首ストレッチを行うパターンである。制御部６０は、肩左エアセル２４に給気してこれを膨張させた後、この肩左エアセル２４を膨張させたまま、頭（首）左エアセル２１に給気してこれを膨張させている。そして、一定時間経過後、肩左エアセル２４を収縮させた後、頭（首）左エアセル２１を収縮させる。
【００３７】
この施療パターン２によれば、被施療者は左肩が押圧され、左肩が保持及び伸長された状態で頭左部が押されるので、左肩が浮かないよう保持及び伸長させたまま頭部が右側に傾倒させられ、首左部から肩左部にかけて伸長させるストレッチ施療を受けることができる。
【００３８】
（施療パターン３）
図５，図１４に示すように、この施療パターン３は、被施療者の首前部に対する首ストレッチを主として行うパターンである。制御部６０は、肩右エアセル２３と肩左エアセル２４とに給気してこれらを膨張させた後、これらの肩右エアセル２３、肩左エアセル２４を膨張させたまま、首後エアセル２２に給気してこれを膨張させている。そして、一定時間経過後、肩右エアセル２３、肩左エアセル２４を収縮させた後、首後エアセル２２を収縮させている。そして、一定時間経過後に、再び肩右エアセル２３と肩左エアセル２４とに給気してこれらを膨張させた後、これらの肩右エアセル２３、肩左エアセル２４を膨張させたまま、首後エアセル２２に給気してこれを膨張させると共に、これらを膨張させたまま、頭（首）右エアセル２０を膨張させた後、頭（首）左エアセル２１を膨張させ、一定時間経過後に頭（首）右エアセル２０を収縮させた後、肩右エアセル２３、肩左エアセル２４を収縮させると共に、頭（首）左エアセル２１と首後エアセル２２とを収縮させている。
【００３９】
しかも、これらの給排気動作を、肩右エアセル２３、肩左エアセル２４とエアセル２０〜２２とでオーバーラップさせながら行うことにより、断続的ではなく各部の施療が滑らかに連なるようにしている。つまり、制御部６０は、肩右エアセル２３、肩左エアセル２４が膨張する時間帯の長さを略同一とし、かつ頭（首）右エアセル２０と頭（首）左エアセル２１と首後エアセル２２とを膨張させる時間帯の一部をオーバーラップさせることで、各部の施療が重なりながら滑らかに連なるようにしている。
【００４０】
この施療パターン３によれば、被施療者は両肩部が押圧され、両肩が保持及び伸長された状態で、首後部が押されて後頭部が持上げられることにより、両肩が浮かないように保持及び伸長させたまま頭部が後方（顎を上げる方向）へ傾倒させられるので、首前部を伸長させるストレッチ施療を効果的に受けることができる。その上、両肩を保持及び伸長させ、さらに顎を上げさせた状態で、頭右部と頭左部とが交互に押圧されて頭部が左右に傾倒させられるので、首部の左右部を交互に伸長させるストレッチ施療を効果的に受けることができる。
【００４１】
（施療パターン４）
図６，図１５に示すように、この施療パターン４は、被施療者の首後部に対する首ストレッチを主として行うパターンである。制御部６０は、肩右エアセル２３と肩左エアセル２４とに給気してこれらを膨張させた後、これらの肩右エアセル２３、肩左エアセル２４を膨張させたまま、頭（首）右エアセル２０と頭（首）左エアセル２１とに給気してこれらを膨張させている。そして、一定時間経過後、肩右エアセル２３、肩左エアセル２４を収縮させた後、頭（首）右エアセル２０、頭（首）左エアセル２１を収縮させている。そして、一定時間経過後に、再び肩右エアセル２３と肩左エアセル２４とに給気してこれらを膨張させた後、これらの肩右エアセル２３、肩左エアセル２４を膨張させたまま、頭（首）右エアセル２０と頭（首）左エアセル２１とに給気してこれらを膨張させている。その後、頭（首）左エアセル２１の排気と給気とを行うと共に、頭（首）右エアセル２０の排気と給気とを行っている。また、一定時間経過後に肩右エアセル２３、肩左エアセル２４を収縮させると共に、頭（首）右エアセル２０、頭（首）左エアセル２１を収縮させている。しかも、これらの給排気動作を、肩右エアセル２３、肩エアセル２４と頭（首）エアセル２０，２１とで所定時間オーバーラップさせながら行うことにより、断続的ではなく滑らかに施療箇所が移動するようにしている。
【００４２】
この施療パターン４によれば、被施療者は両肩部を押圧され、両肩部が保持及び伸長された状態で、頭左右部が押されて頭部が前方下向きに傾倒させられることにより、両肩が浮かないように保持及び伸長されたまま頭部が前方下向き（顎を引く方向）へ傾倒させられるので、首後部を伸長させるストレッチ施療を効果的に受けることができる。その上、両肩を保持及び伸長させ、さらに顎を引かせた状態で、頭右部と頭左部とが交互に押圧されて頭部が左右に傾倒させられるので、首部の左右部を交互に伸長させるストレッチ施療を効果的に受けることができる。
【００４３】
以上のように、施療パターン１，２によれば首左右部の伸長が可能であり、施療パターン３によれば首前部の伸長が可能であり、施療パターン４によれば首後部の伸長が可能である。従って、施療パターン１〜４によれば、肩右エアセル２３、肩左エアセル２４、頭（首）右エアセル２０、頭（首）左エアセル２１、首後エアセル２２を互いに独立して制御することにより、被施療者の肩部を押圧して上半身の位置を保持した状態としつつ、被施療者の首部に対して多様なストレッチ施療が可能となり、被施療者は高い施療効果を得ることができる。
【００４４】
（施療パターン５）
図７，図１６（ａ）に示すように、この施療パターン５は、上記施療パターン１を行いながら被施療者の右腕部を施療するパターンである。制御部６０は、肩右エアセル２３に給気してこれを膨張させると共に、同時に腕右エアセル３６に給気してこれを膨張させた後、これら肩右エアセル２３と腕右エアセル３６を膨張させたまま、頭（首）右エアセル２０に給気してこれを膨張させている。そして、一定時間経過後、肩右エアセル２３と腕右エアセル３６とを収縮させた後、頭（首）右エアセル２０を収縮させている。この施療パターン５では腕右エアセル３６の全てのエアセルを同時に膨張させるようにしているが、腕右エアセル３６の各エアセルを腕先側から順に膨張させたり、一部のみを膨張させるようにしてもよい。
【００４５】
この施療パターン５によれば、被施療者は右肩と右腕とが押圧された状態で頭右部が押されて頭部が左側に傾倒させられるので、首右部に対して肩部から首部にかけて伸長させるストレッチ施療を受けると共に右腕に対して押圧施療がなされ、被施療者は右腕を押圧施療しながら首右部及び肩右部を伸長させるようなストレッチ施療を受けることができる。
【００４６】
また、この施療パターン５において、肩右エアセル２３を膨張させることなく、腕右エアセル３６を膨張させた状態で頭（首）右エアセル２０を膨張させるようにしてもよい。この場合には、被施療者の右腕部から首右部にかけて伸長させるようなストレッチ施療を受けることができる。特に、腕右エアセル３６の腕先側にあるエアセル（腕エアセル３２）のみを膨張させた状態で頭（首）右エアセル２０を膨張させるようにすれば、右腕部の先から首右部にかけて伸長させることができるので望ましい。
【００４７】
（施療パターン６）
図７，図１６（ｂ）に示すように、この施療パターン６は、上記施療パターン２を行いながら被施療者の左腕部を施療するパターンである。制御部６０は、肩左エアセル２４に給気してこれを膨張させると共に、同時に腕左エアセル３７に給気してこれを膨張させた後、これら肩左エアセル２４と腕左エアセル３７を膨張させたまま、頭（首）左エアセル２１に給気してこれを膨張させている。そして、一定時間経過後、肩左エアセル２４と腕左エアセル３７とを収縮させた後、頭（首）左エアセル２１を収縮させている。なお、この施療パターン６でも腕左エアセル３７の全てのエアセルを同時に膨張させるようにしているが、腕左エアセル３７の各エアセルを腕先側から順に膨張させたり、一部のみを膨張させるようにしてもよい。
【００４８】
この施療パターン６によれば、被施療者は左肩と左腕が押圧された状態で頭左部が押されて頭部が右側に傾倒させられるので、首左部に対して肩部から首部にかけて伸長させるストレッチ施療を受けると共に左腕に対して押圧施療がなされ、被施療者は左腕を押圧施療しながら首左部及び肩左部を伸長させるようなストレッチ施療を受けることができる。
【００４９】
また、この施療パターン６においても、肩左エアセル２４を膨張させることなく、腕左エアセル３７を膨張させた状態で頭（首）左エアセル２１を膨張させるようにしてもよい。この場合には、被施療者の左腕部から首左部にかけて伸長させるようなストレッチ施療を受けることができる。この施療パターン６でも、特に、腕左エアセル３７の腕先側にあるエアセル（腕エアセル３２）のみを膨張させた状態で頭（首）左エアセル２１を膨張させるようにすれば、左腕部の先から首左部にかけて伸長させることができるので望ましい。
【００５０】
（施療パターン７）
図８，図１７（ａ）に示すように、この施療パターン７は、被施療者の首前部と大腿部とを施療するパターンである。制御部６０は、肩右エアセル２３と肩左エアセル２４とに給気してこれらを膨張させると共に、同時に脚右エアセル３８、脚左エアセル３９に給気してこれらを膨張させた後、これら肩右エアセル２３、肩左エアセル２４、脚右エアセル３８、脚左エアセル３９を膨張させたまま、首後エアセル２２に給気してこれを膨張させている。そして、一定時間経過後、肩右エアセル２３、肩左エアセル２４と脚右エアセル３８、脚左エアセル３９とを同時にを収縮させた後、首後エアセル２２を収縮させている。
【００５１】
この施療パターン７によれば、被施療者は肩部と大腿部とが押圧された状態で首後部が押されて後頭部が持上げられるので、首前部を伸長させるストレッチ施療を受けることができると共に、大腿部に対して両側方から押圧施療を受けることができる。しかも、被施療者の肩部に加え大腿部も押圧された状態で首後部を押圧するので、身体が浮上がることなく後頭部を持上げることができ、効果的な首前部のストレッチ施療を受けることができる。なお、この施療パターン７では、脚右エアセル３８、脚左エアセル３９へ同時に給気して両大腿部を同時に押圧施療しているが、一方に給気して左右一方を押圧施療するようにしても、両方に時間差を設けて給気して押圧施療が左右位置で所定時間オーバーラップするようにしてもよく、給気パターンはこの例に限定されるものではない。
【００５２】
（施療パターン８）
図８，図１７（ｂ）に示すように、この施療パターン８は、被施療者の首後部と大腿部とを施療するパターンである。制御部６０は、肩右エアセル２３と肩左エアセル２４とに給気してこれらを膨張させると共に、同時に脚右エアセル３８、脚左エアセル３９に給気してこれを膨張させた後、これらの肩右エアセル２３、肩左エアセル２４、脚右エアセル３８、脚左エアセル３９を膨張させたまま、頭（首）右エアセル２０と頭（首）左エアセル２１とに給気してこれらを膨張させている。そして、一定時間経過後、肩右エアセル２３、肩左エアセル２４と同時に脚右エアセル３８、脚左エアセル３９を収縮させた後、頭（首）右エアセル２０、頭（首）左エアセル２１を収縮させている。
【００５３】
この施療パターン８によれば、被施療者は肩部が押圧された状態で頭左右部が押されて頭部が前方に傾倒させられるので、首後部を伸長させるストレッチ施療を受けることができると共に、大腿部に対しても両側方から押圧施療を受けることができる。しかも、被施療者の肩部に加え大腿部も押圧された状態で頭左右部を押圧するので、身体が前方へ押し出されることなく頭部を前方に傾倒させて、効果的な首後部のストレッチ施療を受けることができる。なお、この施療パターン８でも、脚右エアセル３８、脚左エアセル３９へ同時に給気して両大腿部を同時に押圧施療しているが、一方に給気して左右一方を押圧施療するようにしても、両方に時間差を設けて給気して押圧施療が左右位置でで所定時間オーバーラップするようにしてもよく、給気パターンはこの例に限定されるものではない。
【００５４】
（施療パターン９）
図９，図１８（ａ）に示すように、この施療パターン９は、被施療者の首前部と両腕部及び大腿部を施療するパターンである。制御部６０は、肩右エアセル２３と肩左エアセル２４とに給気してこれらを膨張させると共に、同時に腕右エアセル３６、腕左エアセル３７と脚右エアセル３８、脚左エアセル３９とに給気してこれらを膨張させた後、これらの肩右エアセル２３、肩左エアセル２４、腕右エアセル３６、腕左エアセル３７、脚右エアセル３８、脚左エアセル３９を膨張させたまま、首後エアセル２２に給気してこれを膨張させている。そして、一定時間経過後、肩右エアセル２３、肩左エアセル２４と、腕右エアセル３６、腕左エアセル３７、脚右エアセル３８、及び脚左エアセル３９とを同時に収縮させた後、首後エアセル２２を収縮させている。
【００５５】
この施療パターン９によれば、被施療者は肩部と両腕部及び両大腿部が押圧されて身体が保持された状態で首後部が押されて後頭部が持上げられるので、身体が浮上がることなく頭部が後方（顎を上げる方向）へ傾倒させられて首前部を伸長させるストレッチ施療を効果的に受けることができる。しかも、首前部の施療を受けつつ、両腕部と両大腿部とに対しても押圧施療を受けることができる。
【００５６】
（施療パターン１０）
図９，図１８（ｂ）に示すように、この施療パターン１０は、被施療者の首後部と両腕部及び両大腿部を施療するパターンである。制御部６０は、肩右エアセル２３と肩左エアセル２４とに給気してこれらを膨張させると共に、同時に腕右エアセル３６、腕左エアセル３７と脚右エアセル３８、脚左エアセル３９とに給気してこれらを膨張させた後、これらの肩右エアセル２３、肩左エアセル２４、腕右エアセル３６、腕左エアセル３７、脚右エアセル３８、脚左エアセル３９を膨張させたまま、頭（首）右エアセル２０と頭（首）左エアセル２１とに給気してこれらを膨張させている。そして、一定時間経過後、肩右エアセル２３、肩左エアセル２４と、腕右エアセル３６、腕左エアセル３７、脚右エアセル３８、及び脚左エアセル３９とを同時に収縮させた後、頭（首）右エアセル２０、頭（首）左エアセル２１を収縮させている。
【００５７】
この施療パターン１０によれば、被施療者は肩部と両腕部及び両大腿部が押圧されて身体が保持されたた状態で頭左右部が押圧されて頭部が前方（顎を引く方向）へ傾倒させられるので、頭左右部の押圧時に身体が移動することなく首後部を伸長させるストレッチ施療を効果的に受けることができる。しかも、首部の施療を受けつつ、両腕部と大腿部とに対しても押圧施療を受けることができる。
【００５８】
以上のように、施療パターン５〜１０によれば、肩右エアセル２３、肩左エアセル２４、頭（首）右エアセル２０、頭（首）左エアセル２１、首後エアセル２２を互いに独立して制御すると共に、腕右エアセル３６、腕左エアセル３７、脚右エアセル３８、脚左エアセル３９を独立して制御することで、上述した施療パターン１〜４による被施療者の首部に対するストレッチ施療と共に、他の部位に対しても多様な施療が行われて、被施療者は高い施療効果を得ることができる。
【００５９】
（施療パターン１１）
図１０，図１９（ａ）に示すように、この施療パターン１１は、被施療者の首右部に対する首ストレッチに加えて背を反らす又は背を捻るように施療するパターンである。制御部６０は、肩右エアセル２３に給気してこれを膨張させた後、この肩右エアセル２３を膨張させたまま、頭（首）右エアセル２０に給気してこれを膨張させ、これら肩右エアセル２３と頭（肩）右エアセル２０を膨張させたまま、背右エアセル２５を膨張させている。そして、一定時間経過後、肩右エアセル２３を収縮させた後、頭（首）右エアセル２０と背右エアセル２５とを収縮させている。
【００６０】
この施療パターン１１によれば、被施療者は右肩が押圧され、右肩が保持及び伸長された状態で頭右部と背右部とが押されるので、右肩が浮かないよう保持及び伸長されたままで頭部が左側に傾倒させられると共に背中の右部が押されて背が反らされるように捻られるので、首右部から肩右部、背右部にかけて背を捻るように伸長させるストレッチ施療を受けることができる。
【００６１】
（施療パターン１２）
図１０，図１９（ｂ）に示すように、この施療パターン１２は、被施療者の首左部に対して首ストレッチに加えて背を反らす又は背を捻るように施療するパターンである。制御部６０は、肩左エアセル２４に給気してこれを膨張させた後、この肩左エアセル２４を膨張させたまま、頭（首）左エアセル２１に給気してこれを膨張させ、これら肩左エアセル２４と頭（肩）左エアセル２１を膨張させたまま、背左エアセル２６を膨張させている。そして、一定時間経過後、肩左エアセル２４を収縮させた後、頭（首）左エアセル２１と背左エアセル２６とを収縮させている。
【００６２】
この施療パターン１２によれば、被施療者は左肩が押圧され、左肩が保持及び伸長された状態で頭左部と背右部とが押されるので、左肩が浮かないよう保持及び伸長させたままで頭部が右側に傾倒させられると共に背中の左部が押されて背が反らされるように捻られるので、首左部から肩左部、背右部にかけて背を捻るように伸長させるストレッチ施療を受けることができる。
【００６３】
（施療パターン１３）
図１１，図２０に示すように、この施療パターン１３は、被施療者の首前部に対する首ストレッチに加えて背を反らす又は背を捻るように施療するパターンである。制御部６０は、肩右エアセル２３と肩左エアセル２４とに給気してこれらを膨張させた後、これらの肩右エアセル２３、肩左エアセル２４を膨張させたまま、首後エアセル２２に給気してこれを膨張させ、これら肩右エアセル２３、肩左エアセル２４、首後エアセル２２を膨張させたまま、背右エアセル２５と背左エアセル２６とに給気してこれらを膨張させている。そして、一定時間経過後、肩右エアセル２３、肩左エアセル２４を収縮させた後、首後エアセル２２と背右エアセル２５及び背左エアセル２６を収縮させている。そして、一定時間経過後に、再び肩右エアセル２３と肩左エアセル２４とに給気してこれらを膨張させた後、これらの肩右エアセル２３、肩左エアセル２４を膨張させたまま、首後エアセル２２に給気してこれを膨張させると共に、これらを膨張させたまま、頭（首）右エアセル２０を膨張させた後、頭（首）左エアセル２１を膨張させ、一定時間経過後に頭（首）右エアセル２０を収縮させた後、肩右エアセル２３、肩左エアセル２４を収縮させると共に、頭（首）左エアセル２１と首後エアセル２２とを収縮させている。
【００６４】
しかも、これらの給排気動作を、肩右エアセル２３、肩左エアセル２４とエアセル２０〜２２とでオーバーラップさせながら行うことにより、断続的ではなく各部の施療が滑らかに連なるようにしている。つまり、制御部６０は、肩右エアセル２３、肩左エアセル２４が膨張する時間帯の長さを略同一とし、かつ頭（首）右エアセル２０と頭（首）左エアセル２１と首後エアセル２２とを膨張させる時間帯の一部をオーバーラップさせることで、各部の施療が重なりながら滑らかに連なるようにしている。
【００６５】
この施療パターン１３によれば、被施療者は両肩部が押圧され、両肩が保持及び伸長された状態で、首後部が押されて後頭部が持上げられることにより、両肩が浮かないように保持及び伸長させたまま頭部が後方（顎を上げる方向）へ傾倒させられるので、首前部を伸長させるストレッチ施療を効果的に受けることができる。しかも、首前部へのストレッチ施療と同時に両背部が押されて背が反らされるので、背中から後頭部にかけての長い範囲を伸長させるストレッチ施療を受けることができる。その上、両肩を保持及び伸長させ、さらに顎を上げさせた状態で、頭右部と頭左部とが交互に押圧されて頭部が左右に傾倒させられるので、首部の左右部を交互に伸長させるストレッチ施療も効果的に受けることができる。
【００６６】
（施療パターン１４）
図１２，図２１に示すように、この施療パターン１４は、被施療者の首後部に対する首ストレッチに加えて背を反らす又は背を捻るように施療するパターンである。制御部６０は、肩右エアセル２３と肩左エアセル２４とに給気してこれらを膨張させた後、これらの肩右エアセル２３、肩左エアセル２４を膨張させたまま、頭（首）右エアセル２０と頭（首）左エアセル２１とに給気してこれらを膨張させ、これら肩右エアセル２３、肩左エアセル２４、頭（首）右エアセル２０、頭（首）左エアセル２１を膨張させたまま、背右エアセル２５と背左エアセル２６とに給気してこれらを膨張させている。そして、一定時間経過後、肩右エアセル２３、肩左エアセル２４を収縮させた後、頭（首）右エアセル２０、頭（首）左エアセル２１と背右エアセル２５、背左エアセル２６とを収縮させている。そして、一定時間経過後に、再び肩右エアセル２３と肩左エアセル２４とに給気してこれらを膨張させた後、これらの肩右エアセル２３、肩左エアセル２４を膨張させたまま、頭（首）右エアセル２０と頭（首）左エアセル２１とに給気してこれらを膨張させている。その後、頭（首）左エアセル２１の排気と給気とを行うと共に、頭（首）右エアセル２０の排気と給気とを行っている。また、一定時間経過後に肩右エアセル２３、肩左エアセル２４を収縮させると共に、頭（首）右エアセル２０、頭（首）左エアセル２１を収縮させている。しかも、これらの給排気動作を、肩右エアセル２３、肩エアセル２４と頭（首）エアセル２０，２１とで所定時間オーバーラップさせながら行うことにより、断続的ではなく滑らかに施療箇所が移動するようにしている。
【００６７】
この施療パターン１４によれば、被施療者は両肩部を押圧され、両肩部が保持及び伸長された状態で、頭左右部が押されて頭部が前方下向きに傾倒させられることにより、両肩が浮かないように保持及び伸長させたまま頭部が前方下向き（顎を引く方向）へ傾倒させられるので、首後部を伸長させるストレッチ施療を効果的に受けることができる。しかも、首後部へのストレッチ施療と同時に両背部が押されて背が反らされるので、背中から首部にかけての長い範囲を伸長させながら首後部を伸長させるストレッチ施療を受けることができる。その上、両肩を保持及び伸長させ、さらに顎を引かせた状態で、頭右部と頭左部とが交互に押圧されて頭部が左右に傾倒させられるので、首部の左右部を交互に伸長させるストレッチ施療も効果的に受けることができる。
【００６８】
以上のように、施療パターン１１，１２によれば、首左右部の伸長と共に背を反らせ又は捻るように施療することが可能であり、施療パターン１３によれば首前部の伸長と共に背を反らして長い範囲を伸長させることが可能であり、施療パターン１４によれば首後部の伸長と共に背を反らして伸長させることが可能である。従って、施療パターン１１〜１４によれば、肩右エアセル２３、肩左エアセル２４、頭（首）右エアセル２０、頭（首）左エアセル２１、首後エアセル２２、背右エアセル２５、及び背左エアセル２６を互いに独立して制御することにより、被施療者の肩部を押圧して上半身の位置を保持した状態としつつ、被施療者の首部に対する多様なストレッチ施療と共に背を反らせたり捻るような施療が可能となり、被施療者はより高い施療効果を得ることができる。なお、上記施療パターン１３，１４においては背右エアセル２５と背左エアセル２６とを同時に膨張／収縮させているが、これら背右エアセル２５と背左エアセル２６とを交互に膨張／収縮させるようにしてもよい。また、これらの施療パターンにおいて、上記腕右エアセル３６、腕左エアセル３７、脚右エアセル３８、及び脚左エアセル３９による施療を加えれば、他の部位に対しても多様な施療が行われて、被施療者は高い施療効果を得ることができる。
【００６９】
また、上記実施の形態に加え、上記首前部ストレッチと組合せてローリング機能によって被施療者の身体を反らせることにより、被施療者の全身をより反らすようにしてもよい。さらに、首前部ストレッチ及び首後側ストレッチと組合せてマッサージ機構８によるもみ／たたき動作を行うようにすれば、首前部と首後部のストレッチによって筋肉が伸長した背中に対して、もみ／たたき等のマッサージを行うので、より効果的なマッサージが可能となる。また、首前部ストレッチに組合せて背凭れ部３をリクライニングさせて全身ストレッチを行うことにより、全身をより反らしたマッサージができる。しかも、首右部ストレッチ及び首左部ストレッチと組合せて腰や座を押圧マッサージすることにより、上半身をより捻るようなマッサージができる。さらに、上記首ストレッチに加えて座揺れ機構（図示せず）によって座部２を左右方向に揺らすようにして、全身をマッサージするようにしてもよい。
【００７０】
以上のように、上記椅子型マッサージ機１によれば、被施療者の肩部を押圧することにより上半身の位置を保持及び肩部を伸長させた状態で、首部を伸長させるストレッチ施療を効果的に受けることができる。また、この施療と同時に背中を押圧することにより、被施療者の背を反らせたり捻るような動作を与えて首部を伸長させるストレッチ施療をより効果的に受けるようにすることもできる。
【００７１】
なお、上述した施療パターン１〜１０は椅子型マッサージ機１による施療動作の一例を示したものであり、制御部６０によって、各エアセル２０〜２４、３６〜３９への給排気タイミングや膨張持続時間、複数のパターンの組合せ、及び繰り返し等は適宜設定することができ、上述した施療パターンに限定されるものではない。例えば、上記施療パターン１〜１０の各エアセルの膨張時間長さ、収縮時間長さは、例えば、２秒、３秒、・・１０秒・・等を選択することができ、施療パターンの周期を変更したり、また、各エアセルの膨張強さを互いに異なる強さに変更して、被施療者を押圧する強さが各エアセル間で異なるようにしてもよい。
【００７２】
また、上記実施の形態では首施療具を頭（首）右エアセル２０、頭（首）左エアセル２１、首後エアセル２２で構成しているが、頭（首）右エアセル２０と頭（首）左エアセル２１のみや、首後エアセル２２のみ、その他の構成であってもよい。しかも、上記実施の形態における頭（首）右エアセル２０、頭（首）左エアセル２１、首後エアセル２２、肩右エアセル２３、及び肩左エアセル２４等は各々２個で構成することも可能であり、各エアセル２０〜２４の数等も上記実施の形態に限定されるものではない。
【００７３】
さらに、上記実施の形態では、各施療具としてエアセルを例に説明したが、各施療具は施療子等の他の施療具であってもよく、上記実施の形態に限定されるものではない。
【００７４】
また、上述した実施の形態は一例を示しており、本発明の要旨を損なわない範囲での種々の変更は可能であり、本発明は前述した実施の形態に限定されるものではない。
【産業上の利用可能性】
【００７５】
本発明は、被施療者の肩部から首部にかけて伸長させるストレッチ施療を行いたい椅子型マッサージ機に利用できる。
【図面の簡単な説明】
【００７６】
【図１】本発明の一実施の形態に係る椅子型マッサージ機を前方から見た全体斜視図である。
【図２】図１に示す椅子型マッサージ機を後方から見た全体斜視図である。
【図３】図１に示す椅子型マッサージ機の枕部を示す正面図である。
【図４】図１に示す椅子型マッサージ機の機械的な機能を説明するためのブロック図である。
【図５】施療パターン１〜３における各エアセルの膨張・収縮の動作説明図である。
【図６】施療パターン４における各エアセルの膨張・収縮の動作説明図である。
【図７】施療パターン５，６における各エアセルの膨張・収縮の動作説明図である。
【図８】施療パターン７，８における各エアセルの膨張・収縮の動作説明図である。
【図９】施療パターン９，１０における各エアセルの膨張・収縮の動作説明図である。
【図１０】施療パターン１１，１２における各エアセルの膨張・収縮の動作説明図である。
【図１１】施療パターン１３における各エアセルの膨張・収縮の動作説明図である。
【図１２】施療パターン１４における各エアセルの膨張・収縮の動作説明図である。
【図１３（ａ）】施療パターン１における施療位置を示す椅子型マッサージ機の正面図である。
【図１３（ｂ）】施療パターン２における施療位置を示す椅子型マッサージ機の正面図である。
【図１４】施療パターン３における施療位置を示す椅子型マッサージ機の正面図である。
【図１５】施療パターン４における施療位置を示す椅子型マッサージ機の正面図である。
【図１６（ａ）】施療パターン５における施療位置を示す椅子型マッサージ機の正面図である。
【図１６（ｂ）】施療パターン６における施療位置を示す椅子型マッサージ機の正面図である。
【図１７（ａ）】施療パターン７における施療位置を示す椅子型マッサージ機の正面図である。
【図１７（ｂ）】施療パターン８における施療位置を示す椅子型マッサージ機の正面図である。
【図１８（ａ）】施療パターン９における施療位置を示す椅子型マッサージ機の正面図である。
【図１８（ｂ）】施療パターン１０における施療位置を示す椅子型マッサージ機の正面図である。
【図１９（ａ）】施療パターン１１における施療位置を示す椅子型マッサージ機の正面図である。
【図１９（ｂ）】施療パターン１２における施療位置を示す椅子型マッサージ機の正面図である。
【図２０】施療パターン１３における施療位置を示す椅子型マッサージ機の正面図である。
【図２１】施療パターン１４における施療位置を示す椅子型マッサージ機の正面図である。
【符号の説明】
【００７７】
１  椅子型マッサージ機
２  座部
３  背凭れ部
４  肘掛け部
５  脚載置部
６  腕カバー部
７  枕部
２０  頭（首）右エアセル（第２エアセル）
２１  頭（首）左エアセル（第２エアセル）
２２  首後エアセル（第３エアセル）
２３  肩右エアセル（第１エアセル）
２４  肩左エアセル（第１エアセル）
２５  背右エアセル（第６エアセル）
２６  背左エアセル（第６エアセル）
３６  腕右エアセル（第４エアセル）
３７  腕左エアセル（第４エアセル）
３８  脚右エアセル（第５エアセル）
３９  脚左エアセル（第５エアセル）
６０  制御部
【図１】
0005208529.tif 000002
【図２】
0005208529.tif 000003
【図３】
0005208529.tif 000004
【図４】
0005208529.tif 000005
【図５】
0005208529.tif 000006
【図６】
0005208529.tif 000007
【図７】
0005208529.tif 000008
【図８】
0005208529.tif 000009
【図９】
0005208529.tif 000010
【図１０】
0005208529.tif 000011
【図１１】
0005208529.tif 000012
【図１２】
0005208529.tif 000013
【図１３（ａ）】
0005208529.tif 000014
【図１３（ｂ）】
0005208529.tif 000015
【図１４】
0005208529.tif 000016
【図１５】
0005208529.tif 000017
【図１６（ａ）】
0005208529.tif 000018
【図１６（ｂ）】
0005208529.tif 000019
【図１７（ａ）】
0005208529.tif 000020
【図１７（ｂ）】
0005208529.tif 000021
【図１８（ａ）】
0005208529.tif 000022
【図１８（ｂ）】
0005208529.tif 000023
【図１９（ａ）】
0005208529.tif 000024
【図１９（ｂ）】
0005208529.tif 000025
【図２０】
0005208529.tif 000026
【図２１】
0005208529.tif 000027